(57)【特許請求の範囲】
【請求項１】
被測定者の呼吸数又は心拍数を生体情報として所定の間隔で検出する生体情報検出手段と、
前記生体情報に基づいて、正常範囲の低値基準値以下を第１色で表示し、前記正常範囲の高値基準値以上を前記第１色と異なる第２色で表示し、前記正常範囲の低値基準値から高値基準値にかけて前記第１色から前記第２色に向けて段階的に色が複数に変化する表示パターンを決定する表示パターン決定手段と、
前記生体情報を、時間軸を備えた帯グラフ状の領域に、前記表示パターン決定手段により決定された表示パターンにて出力し、当該帯グラフ状の領域を、表示時間分を１行として並べて出力する生体情報出力手段と、
を備えることを特徴とする生体情報出力装置。
【請求項２】
前記表示パターンはカラー情報であって、低値基準値から高値基準値に近づくにつれて段階的に色の波長が変化することを特徴とする請求項１に記載の生体情報出力装置。
【請求項３】
被測定者の呼吸数又は心拍数を生体情報として所定の間隔で検出する生体情報検出手段と、
前記生体情報に基づいて、正常範囲の低値基準値以下を第１色で表示し、前記正常範囲の高値基準値以上を前記第１色で表示し、前記正常範囲の低値基準値または高値基準値から中央値にかけて、前記第１色から前記第１色と異なる第２色に向けて段階的に色又は濃淡が複数に変化するグレースケールの表示パターンを決定する表示パターン決定手段と、
前記生体情報を、時間軸を備えた帯グラフ状の領域に、前記表示パターン決定手段により決定された表示パターンにて出力し、当該帯グラフ状の領域を、表示時間分を１行として並べて出力する生体情報出力手段と、
を備えることを特徴とする生体情報出力装置。
【請求項４】
前記生体情報出力手段は、前記帯グラフ状の領域は、２４時間を１行とし、
前記生体情報出力手段は、前記１行の中央を午前１２時または午前０時のいずれとするかを選択するアイコンを表示し、前記生体情報の平均値を１行それぞれに対応付けて表示することを特徴とする請求項１から３の何れか一項に記載の生体情報出力装置。
【請求項５】
前記生体情報出力手段は、前記帯グラフ状の領域と並列に、前記被測定者の離床、覚醒、睡眠を示す睡眠日誌の表示を出力することを特徴とする請求項１から４の何れか一項に記載の生体情報出力装置。
【請求項６】
前記生体情報出力手段は、前記帯グラフ状の領域に重畳して、前記被測定者の離床、覚醒、睡眠を示す睡眠日誌の表示を出力することを特徴とする請求項１から４の何れか一項に記載の生体情報出力装置。
【請求項７】
被測定者の呼吸数又は心拍数を生体情報として所定の間隔で検出する生体情報検出ステップと、
前記生体情報に基づいて、正常範囲の低値基準値以下を第１色で表示し、前記正常範囲の高値基準値以上を前記第１色と異なる第２色で表示し、前記正常範囲の低値基準値から高値基準値にかけて前記第１色から前記第２色に向けて段階的に色が複数に変化する表示パターンを決定する表示パターン決定ステップと、
前記生体情報を、時間軸を備えた帯グラフ状の領域に、前記表示パターン決定ステップにより決定された表示パターンにて出力し、当該帯グラフ状の領域を、表示時間分を１行として並べて出力する生体情報出力ステップと、
を含むことを特徴とする生体情報出力方法。
【請求項８】
被測定者の呼吸数又は心拍数を生体情報として所定の間隔で検出する生体情報検出ステップと、
前記生体情報に基づいて、正常範囲の低値基準値以下を第１色で表示し、前記正常範囲の高値基準値以上を前記第１色で表示し、前記正常範囲の低値基準値または高値基準値から中央値にかけて、前記第１色から前記第１色と異なる第２色に向けて段階的に色又は濃淡が複数に変化するグレースケールの表示パターンを決定する表示パターン決定ステップと、
前記生体情報を、時間軸を備えた帯グラフ状の領域に、前記表示パターン決定ステップにより決定された表示パターンにて出力し、当該帯グラフ状の領域を、表示時間分を１行として並べて出力する生体情報出力ステップと、
を含むことを特徴とする生体情報出力方法。
【発明の詳細な説明】
【技術分野】
【０００１】
本発明は、生体情報出力装置等に関する。
【背景技術】
【０００２】
従来から、各種情報を出力する装置として、単位時間当たりの数値（平均値や累積値）から長期間（１週間、１ヶ月等）の平均値や累積値を算出し、グラフを表示する装置が知られている。また、測定時刻での測定値を単位時間毎に時系列で表示し、単位時間毎のグラフを同一に表示する方法も知られている。
【０００３】
ここで、睡眠状態を表示する発明として、例えば特許文献１のような発明が開示されている。また、生体情報のトレンド及び異常値の認識を容易に行う発明として、例えば特許文献２のような発明が開示されている。
【先行技術文献】
【特許文献】
【０００４】
【特許文献１】特開２０１４−１６８４９２号公報
【特許文献２】特許第４３７３９１５号
【発明の概要】
【発明が解決しようとする課題】
【０００５】
生体情報（例えば、呼吸数、心拍数、体動等）の連続数値データについて、利用者が容易に把握できる装置が従来は存在しなかった。
【０００６】
例えば、特許文献１では、日毎の情報は表示されているが、どこの時間帯で異常値となっているか明確に把握することができなかった。
【０００７】
また、特許文献２では、折れ線グラフとして表示されているが、複数日程表示すると、広範囲の表示領域が必要になり（画面スクロールや測定値の縮尺が必要となる）どこが異常値か判断するのが難しかった。とくに、最近は病院だけでなく、介護施設による職員や、在宅介護における家族が生体情報を把握する必要性が高まっている。
【０００８】
このとき、専門家では測定者が、一目で生体情報の傾向（トレンド）を把握し、適切に異常値を把握するためには、解りやすい表示が所望されている。しかし、従来製品では、専門的な知識が前提となっており、容易に生体情報のトレンドを把握することができなかった。
【０００９】
上述した課題に鑑み、本発明が目的とするところは、生体情報のトレンドを容易に把握することができ、周期的な変動と経時的な変動を一目で確認することができる生体情報出力装置等を提供することである。
【課題を解決するための手段】
【００１０】
上述した課題を解決するために、本発明の生体情報出力装置は、
連続する数値データである被測定者の生体情報を所定の間隔で検出する生体情報検出手段と、
前記生体情報に基づいて、低値基準値から高値基準値にかけて色又は濃淡が変化する表示パターンを決定する表示パターン決定手段と、
前記生体情報を、時間軸を備えた帯グラフ状の領域に、前記表示パターン決定手段により決定された表示パターンにて出力し、当該帯グラフ状の領域を、表示時間分を１行として並べて出力する生体情報出力手段と、
を備えることを特徴とする。
【００１１】
本発明の生体情報出力方法は、
連続する数値データである被測定者の生体情報を所定の間隔で検出する生体情報検出ステップと、
前記生体情報に基づいて、低値基準値から高値基準値にかけて色又は濃淡が変化する表示パターンを決定する表示パターン決定ステップと、
前記生体情報を、時間軸を備えた帯グラフ状の領域に、前記表示パターン決定ステップにより決定された表示パターンにて出力し、当該帯グラフ状の領域を、表示時間分を１行として並べて出力する生体情報出力ステップと、
を含むことを特徴とする。
【発明の効果】
【００１２】
このように、本発明の生体情報出力装置によれば、連続する数値データである被測定者の生体情報を所定の間隔で検出し、検出された生体情報から、低値基準値から高値基準値にかけて色又は濃淡が変化する表示パターンを決定する。そして、生体情報を、時間軸を備えた帯グラフ状の領域に、決定された表示パターンにて出力し、当該帯グラフ状の領域を、表示時間分を１行として並べて出力する。
【００１３】
これによって、生体情報の一例として、呼吸数等の連続する数値データの高低が解るように帯グラフ状に表示されることになり、測定者は、被測定者の異常や経時的変化を容易に、かつ、適切に把握することが可能となる。
【図面の簡単な説明】
【００１４】
【図１】第１実施形態における全体を説明するための図である。
【図２】第１実施形態における機能構成を説明するための図である。
【図３】第１実施形態における呼吸数テーブルのデータ構成の一例を示す図である。
【図４】第１実施形態におけるカラーバーテーブルのデータ構成の一例を示す図である。
【図５】第１実施形態の処理の流れを説明するためのフローチャートである。
【図６】第１実施形態の具体的な実施例を説明するための図である。
【図７】第１実施形態における生体情報表示の一例を説明するための図である。
【図８】第１実施形態における生体情報表示の一例を説明するための図である。
【図９】第１実施形態の具体的な実施例を説明するための図である。
【図１０】第１実施形態の具体的な実施例を説明するための図である。
【図１１】第１実施形態の具体的な実施例を説明するための図である。
【図１２】第２実施形態の動作について説明するための図である。
【図１３】第２実施形態の動作について説明するための図である。
【図１４】第２実施形態の具体的な実施例を説明するための図である。
【発明を実施するための形態】
【００１５】
以下、図面を参照して本発明を実施するための最良の形態について説明する。なお、以下の実施形態の内容に本発明の内容が限定されるものではないことは勿論である。
【００１６】
［１．第１実施形態］
［１．１  システム外観］
図１は、本発明の生体情報出力装置を適用した場合における睡眠評価システムの使用方法について説明するための図である。図１に示すように、睡眠評価システム１は、ベッド１０の床部と、マットレス２０の間に載置される検出装置３と、検出装置３より出力される値を処理するため処理装置５を備えて構成されている。
【００１７】
マットレス２０に、利用者である被測定者Ｐが在床すると、マットレス２０を介して被測定者Ｐの体動（振動）を検出装置３が検出する。そして、検出された振動に基づいて、被測定者Ｐの呼吸（所定時間内の呼吸数）が生体情報として検出（出力）される。
【００１８】
本実施形態においては、検出された呼吸（数）が無線を介して処理装置５（例えば、コンピュータ等）に送信されるが、例えば検出装置３に表示部等を設けることにより一体に形成されてもよい。また、処理装置５は、汎用的な装置で良いため、コンピュータ等の情報処理装置に限られず、例えばタブレットやスマートフォン等といった装置で構成されてもよい。
【００１９】
ここで、検出装置３は、厚さが薄くなるようにシート状に構成されている。これにより、ベッド１０と、マットレス２０の間に載置されたとしても、被測定者Ｐに違和感を覚えさせることなく使用できることとなる。
【００２０】
なお、検出装置３は、被測定者Ｐの生体情報として呼吸を検出できればよい。本実施形態においては、体動に基づいて呼吸を検出しているが、例えば音声センサを利用して呼吸音を検出したり、赤外線センサ等により被測定者Ｐの体動を検出したり、歪みゲージ付きアクチュエータを利用しても良い。
【００２１】
［１．２  機能構成］
続いて、睡眠評価システム１の機構構成について、図２を用いて説明する。本実施形態における睡眠評価システム１は、検出装置３と、処理装置５とを含む構成となっており、各機能部（処理）は、呼吸検出部２００以外についてはどちらで実現されても良い。
【００２２】
睡眠評価システム１は、制御部１００に、呼吸検出部２００と、記憶部３００と、入力部４００と、出力部５００とがバスを介して接続されている。
【００２３】
制御部１００は、睡眠評価システム１の動作を制御するための機能部であり、ＣＰＵ等、睡眠評価システム１に必要な制御回路によって構成されている。制御部１００は、記憶部３００に記憶されている各種プログラムを読み出して実行することにより各種処理を実現することとなる。なお、本実施形態においては、制御部１００は全体として動作しているが、検出装置３、処理装置５のそれぞれに設けられるものである。
【００２４】
呼吸検出部２００は、被測定者の呼吸を検出するための機能部である。本実施形態においては、振動を検出するためのセンサ部である。センサ部により検出された振動（体動）から、被測定者の呼吸を検出する。また、センサ部を利用することにより、寝返りや心拍等被測定者Ｐの呼吸以外の体動を検出することもできる。
【００２５】
本実施形態における呼吸検出部２００は、例えば、圧力センサにより被測定者の振動（体動）を検出し、振動から呼吸を検出するが、荷重センサにより、被測定者の重心位置（体動）の変化により呼吸を検出することとしても良いし、マイクロフォンを設けることにより、マイクロフォンが拾う音に基づいて検出しても良い。何れかのセンサを用いて、被測定者の呼吸が検出できれば良い。
【００２６】
記憶部３００は、睡眠評価システム１が動作するための各種データ及びプログラムを記憶しておく機能部である。制御部１００は、記憶部３００に記憶されているプログラムを読み出して実行することにより、各種機能を実現することとなる。記憶部３００は、例えば半導体メモリや、磁気ディスク装置等により構成されている。ここで、記憶部３００には、呼吸数テーブル３０２と、カラーバーテーブル３０４とが記憶されている。
【００２７】
呼吸数テーブル３０２は、呼吸検出部２００により検出された呼吸に基づいて出力される呼吸数が記憶されるテーブルである。呼吸数テーブル３０２は、図３に示すように、所定時間（以下、「呼吸数算出時間」という）における呼吸数が、時系列に記憶されている。本実施形態における呼吸数算出時間は、一例として「１分」とする。
【００２８】
また、呼吸数テーブル３０２は、識別情報毎に複数記憶される構成としてもよい。識別情報を用いることにより、例えば被測定者毎に記憶したり、同じ被測定者であっても測定日毎に分けて記憶したりすることも可能となる。
【００２９】
カラーバーテーブル３０４は、バイタル日誌（睡眠グラフ）を作成・出力するときの色や、分割数等を決定するためのテーブルである。カラーバーテーブル３０４は図４に示すように、各パラメータが記憶されている。
【００３０】
具体的には、カラーバー上限値（例えば、「２８」）と、カラーバー下限値（例えば、「４」）とが呼吸数にて記憶されている。また、カラーバーの分割数（例えば、「７」）が記憶されており、各区分の色情報（カラー）が、カラー１、カラー２、・・・と記憶されている。ここで、上限値と下限値は異常値との境界を示しており、上限値以上又は下限値以下となる場合は、同じ色となる。
【００３１】
ここで、本実施形態では表示パターンとして色情報が記憶される。色情報の内容としては、例えばＲＧＢ値（例えば、「＃００００ＦＦ」）で記憶されても良いし、「Ｂｌｕｅ」等の色名で記憶されてもよい。また、色情報ではなく、網がけであってり、波長、濃度、色温度等といった色を特定する情報であっても良い。
【００３２】
特に、種々の表現方法があるが、利用者がみて周期的な変動と経時的な変動が容易な色で設定されていることが好ましい。例えば、下限値を波長が短い色（例えば、青系）の色とし、上限値を波長が長い色（例えば、赤系）の色とする。そして、下限値から上限値につれて、波長が変化することにより、紫→青→緑→黄→赤等と遷移する。
【００３３】
また、モノクロの場合には濃淡で表しても良い。この場合、濃さが徐々に変化していくようにする。また、モノクロの場合は、異常値が明確に解るように、上限値（下限値）の色を濃くし、基準値を淡くしても良い。また、モノクロで無くても、同色系統で表現する場合（例えば、赤系統の色で表現する場合）も、同様に濃淡や、色の濃さ（白→ピンク→赤等）で表しても良い。
【００３４】
入力部４００は、睡眠評価システム１に対して利用者が操作指示等を入力するための機能部である。検出装置３に内蔵された操作ボタン（ハードウェアスイッチ）であっても良いし、接続された処理装置５を用いても良い。
【００３５】
出力部５００は、睡眠評価システム１から各種情報を出力するための機能部である。出力部５００としては、カラー表示可能な液晶ディスプレイであったり、カラー印刷可能なカラープリンタ（印刷装置）であったりしても良い。また、グレースケールで印刷可能なモノクロプリンタであっても良い。
【００３６】
［１．３  処理の流れ］
続いて、本実施形態における処理の流れについて、図５を用いて説明する。この処理は、バイタル日誌（生体情報として、呼吸数のトレンドをみるグラフ）を出力する場合に選択する処理である。
【００３７】
予め、呼吸数が検出され呼吸数が呼吸数テーブル３０２に記憶されており、カラーバーテーブル３０４も記憶されている。そして、バイタル日誌として出力する日程（範囲）を入力した後に実行される処理である。
【００３８】
まず、変数ｎに初期値として「１」を代入する（ステップＳ１０２）。次に、呼吸数テーブル３０２から呼吸数（単位区間辺り）を読み出す（ステップＳＳ１０４）。読み出された呼吸数に応じてカラーを決定する（ステップＳ１０６）。
【００３９】
続いて、決定されたカラーでグラフが表示される（ステップＳ１０８）。具体的には、当該日付の領域の帯に、横積層の状態で表示されていることとなる。なお、このときの帯グラフは、表示時間分の呼吸数に応じたものが表示される。
【００４０】
具体的には、表示時間を「２４時間」としている場合は、一日分の呼吸数に基づいたバイタル日誌が表示される。２４時間とすることで、人の概日リズムとほぼ一致し、概日リズム性の変動を把握することができる。また、例えば、１２時間を１行にすれば半日のリズム、３時間を１行にすれば３時間のリズム、といった１行とした時間に応じたリズム性があるか否かを視覚的に確認することが可能となる。なお、本実施形態においては、２４時間を表示時間として説明する。
【００４１】
ｎ日目の呼吸数の全て読取が完了するまで処理がステップＳ１０４から繰り返し実行される（ステップＳ１１０；Ｎｏ→ステップＳ１０４）。
【００４２】
なお、ここで読取については、例えば設定された時間内だけ読み取っても良いし、記憶されている時間のみを読み取っても良い。例えば、記憶されていない時間の場合は、対象外であることが出力されたりしてもよい。
【００４３】
ｎ日目の呼吸数の読取が完了したら（ステップＳ１１０；Ｙｅｓ）、ｎに１加算される（ステップＳ１１２）。そして、描画する領域を次の領域に移動する（ステップＳ１１４）。これにより、一画面（一枚）の中に、複数の生体情報のトレンドを示すグラフが表示（印刷）することが可能となる。
【００４４】
そして、予め入力されたバイタル日誌として出力する日程の全てが終わるまで処理が繰り返し実行される（ステップＳ１１６；Ｎｏ→ステップＳ１０４）。
【００４５】
［１．４  実施例］
続いて、具体的な実施例について説明する。まず、図６は、カラーバーテーブル３０４にパラメータを記憶するための表示画面Ｗ１００の一例である。図６（ａ）は、設定される色がグレースケールの場合を、図６（ｂ）は、設定される色がカラーの場合を一例として示した図である。
【００４６】
領域Ｒ１００にカラーバー上限値が、領域Ｒ１０２にカラーバー下限値がそれぞれ入力可能となっている。また、領域Ｒ１０６にはカラー分割数が入力可能となっている。
【００４７】
領域Ｒ１０８には、カラーバーが表示されている。このとき、正常範囲中央値の色がＣ１０２に設定され、そこから異常値に近づくにつれてＣ１０４、Ｃ１０６、Ｃ１０８と設定されている。
【００４８】
ここで正常範囲中央値とは、本実施形態では設定した低値基準値と高値基準値から自動的に決定される値としているが、例えば標準的な値を正常範囲中央値として最初に設定し、その値から低値基準値と高値基準値を自動的に設定していても良い。なお、色については、任意の色を設定しても良いし、同系統の色を設定してもよい。
【００４９】
ここで、設定される色のパターン（色設定パターン）としては以下のパターンが考えられる。
【００５０】
（１）カラー色設定パターン
利用者が任意の色パターンを設定したり、視認しやすい色に設定したりするパターンである。例えば、図６（ｂ）にしめすように、低値基準値以下を紫色（Ｃ１６４）、高値基準値以上を赤色（Ｃ１５２）とし低値基準値から高値基準値にかけて、色の波長が変化するように設定する。例えば、青色（Ｃ１６２）、水色（Ｃ１６０）、緑色（Ｃ１５８）、黄色（Ｃ１５６）、橙色（Ｃ１５４）と遷移することで、視覚的に異常値が容易に識別できる。カラー表示可能なコンピュータディスプレイ、タブレット、携帯端末装置といった表示装置、カラー出力可能な印刷装置に対して有効な色設定パターンである。
【００５１】
（２）グレースケール色設定パターン
グレースケール可能なモノクロプリンタ等に出力する場合に見やすい色設定パターンである。例えば、正常範囲中央値を「白」に近い色の系統にし、異常値（低値基準値以下と高値基準値以上）を「黒」として設定する。そして、正常範囲中央値から異常値に近づくにつれて、濃く印刷されるようになる。
【００５２】
このような色パターンを用いることで、モノクロプリンタ（モノクロレーザープリンタ、モノクロ複合機等）で出力しても見やすいバイタル日誌を出力可能となる。
【００５３】
これらの複数のカラーパターンは必ず記憶しておく必要は無い。しかし、複数のカラーパターンを記憶しておくことにより、例えば図５のステップＳ１０６で適切なカラーが決定されることとなる。
【００５４】
このカラーパターンについては、予め選択してあっても良いし、出力先が決定されてからカラーパターンが予め選択されても良い。また、出力先に応じて、分割数を変更することにより、例えばカラーだと１０段階で表示されるが、モノクロだと６段階で表示されることとしても良い。
【００５５】
図７は、生体情報の傾向を示すため、一例として出力されるバイタル日誌を説明するために拡大表示した図である。ここでマークＭ１０２は就床起床マークである。利用者が就床時及び起床時に表示される。なお、就床、起床については利用者が入力することとしても良いし、自動的に判断されることとしても良い。
【００５６】
この後、カラーバーが時系列で表示されている。このカラーバーの表示のさせ方は種々の方法が考えられる。例えば、Ｃ２０２のように時刻の区間（例えば、「２２：３３から２２：３７の区間」）毎に色を決定して表示しても良い。
【００５７】
また、例えば、ｔ１〜ｔ２の区間が「Ｃ２０６」、ｔ２〜ｔ３の区間が「Ｃ２０６」のように、単位区間毎に色を決定し出力する。ここで、同じ呼吸数であれば（例えば、「ｔ３〜ｔ４、ｔ４〜ｔ５、ｔ５〜ｔ６」）、同じ色（Ｃ２０４）が出力されることになる。
【００５８】
図８は、バイタル日誌の一例を示した図である。日付毎に状態を示すグラフが描かれている。各日付には、就床・起床マークが表示されており、また、呼吸数に基づいた状態がグラフの色（パターン）として表示されている。
【００５９】
さらに、本実施形態の図の場合、呼吸数の平均値も表示されている。呼吸数の平均値は、例えば設定区間の平均呼吸数が表示されている。設定区間は、予め定められた就床時間と起床時間（例えば、「２２：００〜５：００」）としても良いし、就床・起床マークから求められる時間を利用しても良い。
【００６０】
図９は、バイタル日誌の具体的な表示例である。図９（ａ）は、サンプルとなる被測定者の状態を示したバイタル日誌（呼吸日誌）を表示した表示画面Ｗ１００の一例である。この被測定者は、容態が悪化し、１１／１５（金）２１時ごろに亡くなった方であり、このケースの呼吸数を本発明の方法により表示したデータである。また、図９（ｂ）は健常者のバイタル日誌を表示した表示画面Ｗ１５０の一例である。
【００６１】
図９は、低値基準値を８、高値基準値を２８としてバイタル日誌が表されている。また、図９（ａ）に対応する時系列の散布図を図１０に示す。
【００６２】
また、表示画面には、各種表示状態を切り替えるためのアイコンが表示されている。例えば、図９（ａ）を例に取って説明すると、領域Ｒ１０２のアイコンは、１週間分、２週間分、４週間分のデータを遡って、それぞれ一覧表示するためのアイコンである。また、領域Ｒ１０４のアイコンは、注目部分を拡大したり、縮小したりするためのアイコンである。
【００６３】
また、領域Ｒ１０６のアイコンは画面中央を１２時とするか０時とするかを選択するもので、午前０時を中央とすると睡眠時間帯である夜間のデータが１行に収まり見やすくなる。
【００６４】
また、領域Ｒ１１０のアイコンは高値基準値を変更するためのアイコンである。また、領域Ｒ１１２のアイコンは低値基準値を変更するためのアイコンである。また、領域Ｒ１１４のアイコンは就床時刻、起床時刻、就床時刻から起床時刻の間にある離床時刻を表示させるか否かを切り替えるためのアイコンである。
【００６５】
また、表示画面Ｗ１００はタブにて複数の画面を切り替えることが可能となっている。現在はタブＴ１０２が選択されることにより、睡眠日誌（呼吸日誌）が表示されている。
【００６６】
以下、バイタル日誌（呼吸日誌）を利用した場合の、見方について説明する。図９（ａ）は、緑色が正常範囲中央値（図９（ａ）の薄い部分）、赤色が高値異常値（図９（ａ）の濃い部分）、青色が低値異常値（図９（ａ）の濃い部分）となっており、緑色から赤色に近づくに連れて高値、青色に近づくにつれて低値となっている。
【００６７】
通常の睡眠では図９（ｂ）のように朝方にかけて呼吸数は低下する傾向を示す（黄色や緑色から水色や青色が多くなる。例えば、Ｇ１５２の領域）。図９（ａ）でも１１／６（水）〜９（土）までは朝方にかけて呼吸数が低下する傾向があることが分かる。
【００６８】
ところが、１１／１０、１１は体動の増加などのために呼吸数を算出できない区間（白色、図９（ａ）で淡い状態、Ｇ１０２）が増え、１１／１２は朝方にかけて逆に呼吸数が増加している（Ｇ１０４の領域）。
【００６９】
１１／１３の朝５時ごろから急激に呼吸数が低下し（Ｇ１０６の領域）、１１／１４に呼吸数の高い状態が続いた後（図９（ａ）の濃い色の状態）、１１／１５は呼吸数の変動が激しくなり、１９時ごろから呼吸数が低下した後に亡くなった様子が分かる。
【００７０】
本実施形態によればこのような長期的変動を一目で把握することができるが、通常の時系列グラフでは一目で把握することは困難である。さらに、図９（ａ）は１０日間の事例であるが、１ヶ月などさらに長期間の変動を確認することは通常の時系列グラフでは不可能となる。
【００７１】
このように、時系列の散布図では表示領域が限られるため何時に異常値が発生しているのかが分かりにくく、２４時間周期の変動を確認することも難しい。一方で、これらの点が、図９（ａ）のバイタル日誌では視覚的に解るようになっている。
【００７２】
なお、バイタル日誌で表示されるカラーバーは、複数切り替えられる構成とすることも可能である。例えば、図１１に示すように、カラーバー設定画面で、「カラー用」「グレースケール用」と設定することができる。
【００７３】
このとき、出力部５００が出力する装置に応じて、任意に切り替えることが可能である。例えば、モノクロプリンタであればグレースケール用のカラーバーを利用することにすれば、視認性の高いバイタル日誌を出力することが可能となる。
【００７４】
このように、本実施形態によれば、表示時間分の帯グラフで生体情報を測定者が把握することが可能となる。例えば、表示時間を２４時間とした場合、２４時間毎に１行として並べて出力されることから、２４時間周期で変化する被測定者の状態（概日リズム）を把握することが可能となる。
【００７５】
また、当該帯グラフが、複数並列に表示されることとなるため、被測定者の状態を複数比較して測定者が判断することが可能となる。このとき、色や濃淡が測定値の高低を表すため、２次元の表示領域に３次元的にデータを表示することができ、少ない表示領域で長期間のデータを一覧できる。そのため、大局的な変化や傾向を一目で確認することが可能である。
【００７６】
［２．第２実施形態］
つづいて、第２実施形態について説明する。第２実施形態は、第１実施形態において表示されるバイタル日誌に、睡眠状態を示す睡眠日誌を併せて表示する実施形態である。すなわち、被測定者の睡眠状態として、離床、覚醒（在床）、睡眠（在床）を判定し、睡眠日誌として表示する。
【００７７】
ここで、被測定者の睡眠状態を判定する方法としては、呼吸検出部２００により検出された振動により判定しても良いし、他の睡眠状態判定手段（例えば、他の振動センサや、赤外線センサ、音検出等により睡眠状態を判定する手段）を設けて判定しても良い。
【００７８】
そして、第１実施形態において表示されるバイタル日誌のカラーバーと、睡眠日誌とを並列に表示する。ここで、バイタル日誌と睡眠日誌とを並列に表示する状態を、説明するために模式的に拡大した図を図１２に示す。
【００７９】
図１２に示すように、領域Ｒ３００に一日分の情報が表示されている。この領域には、バイタル日誌のカラーバーがＲ３０２に、睡眠日誌がＲ３０４に表示されている。睡眠日誌には、就床マークＭ３０２と、起床マークＭ３０４とがそれぞれ表示されている。また、睡眠中に離床したことを示す離床マークＭ３０６が表示されている。
【００８０】
そして、睡眠日誌は、覚醒を示すＣ３０２、Ｃ３０８（例えば、黄色で表示する）、睡眠を示すＣ３０４（例えば、青色で表示する）、離床を示すＣ３０６（例えば、白色で表示する）といったカラーバーがＲ３０４に表示されている。
【００８１】
このように、本実施形態では、バイタル日誌と、睡眠日誌とが並列に表示されることとなる。すなわち、検出された生体情報に基づいたバイタル日誌と、睡眠日誌とを並列に表示させることで以下のような効果が期待できる。
【００８２】
まず、生体情報が取得されない場合、離床中であれば問題無いと判断し、在床中であれば体動があったことを判断することができる。また、被測定者が睡眠中であるにも関わらず生体情報が検出されない場合は、測定条件が良くない（例えば、マットレスの幅が広すぎたり、厚すぎたりするといった不具合）があると判断することができる。
【００８３】
また、生体情報が異常と判定されている場合であっても、離床直後であったり、離床直前であったりした場合には、体動による生体情報の変動（例えば、呼吸数の上昇、心拍数の上昇）であると判断することができる。また、安定した睡眠中（例えば、睡眠の持続時間が長い）であるにも関わらず生体情報が異常の場合には、睡眠時無呼吸による呼吸数・心拍数の上昇といった疾患リスクが考えられる。
【００８４】
また、バイタル日誌と睡眠日誌と並列に表示することにより、覚醒前に呼吸数・心拍数が上昇するといった傾向を捉えやすいといった効果、睡眠中は呼吸数・心拍数が低下しているかなど睡眠中と覚醒中の生体情報の違いを比較しやすいといった効果もある。さらに、睡眠中でもレム睡眠中は呼吸数・心拍数の変動が大きく前後の値と比較して高い値が出やすいため、レム睡眠とノンレム睡眠を大まかに把握することができるといった効果もある。
【００８５】
なお、睡眠日誌の表示としては、表示領域の大きさを切り替えることにより、被測定者の睡眠状態と生体情報の変動との両方を確認できるようにしてもよいし、例えば、睡眠日誌の領域を小さくすることで、生体情報の変動を主として確認してもよい。また、これらの表示を切り替えることとしても良い。
【００８６】
例えば、図１３に示すように、Ｒ４００のバイタル日誌のカラーバーの一部に、重畳的に睡眠日誌を領域Ｒ４０２として表示することとしても良い。すなわち、睡眠日誌の表示領域を小さくしたり、バイタル日誌のカラーバーの一部に表示させたりしても良い。この場合は、図１２と比べてバイタル日誌が目立って表示されるため、生体情報の日毎の傾向を容易に把握することが可能となる。
【００８７】
また、睡眠日誌の表示／非表示を切り替える構成としても良い。睡眠日誌を非表示とすると、第１実施形態で説明した内容と同じものが実現可能となる。
【００８８】
本実施形態における画面例について、図１４を用いて説明する。図１４（ａ）は、バイタル日誌と、睡眠日誌とが並列に表示されている画面例Ｗ２００である。バイタル日誌として帯状グラフが領域Ｒ５００に表示されており、睡眠日誌として帯状グラフがＲ５０２に表示されている。また、睡眠日誌には、被測定者の就床、起床を示す就床マークＭ５００、起床マークＭ５０２が表示されている。この就床、起床については、被測定者（測定者）が任意に表示しても良いし、睡眠状態から自動的に表示しても良い。また、就床から起床の間に離床があった場合は離床マークＭ５０４が表示される。離床マークＭ５０４についても、自動的に表示されてもよいし、被測定者（測定者）が任意に表示されても良い。
【００８９】
また、就床マークＭ５００、起床マークＭ５０２、離床マークＭ５０４といった表示は、本実施形態では睡眠日誌の帯状グラフに表示しているが、バイタル日誌の帯状グラフ状に表示しても良い。また、各マークの表示については、任意に表示／非表示が切り替えられるようにしても良い。
【００９０】
図１４（ｂ）は、バイタル日誌の一覧性を優先した場合の画面例Ｗ２１０を示す図である。バイタル日誌の帯状グラフが領域Ｒ５１０に表示されており、この帯状グラフに重畳して睡眠日誌を領域Ｒ５１２として表示している。本実施形態では、睡眠日誌は、バイタル日誌の帯状グラフの高さに比較して、視認できる程度であれば良い。
【００９１】
また、睡眠日誌の高さは、測定者により変更できる構成であっても良い。例えば、睡眠日誌を優先させたい場合は、睡眠日誌の幅を大きく表示する状態（すなわち、見た目は睡眠日誌にバイタル日誌が重畳して表示されている状態）であっても良い。
【００９２】
このように、本実施形態によれば、バイタル日誌と睡眠日誌とを測定者は併せて確認することができるため、被測定者の生体情報のトレンドを睡眠状態と関連付けて把握することが可能となる。
【００９３】
［３．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００９４】
上述した実施形態では、被測定者の生体情報の一種として「呼吸数」を利用しているが、それ以外の生体情報、例えば心拍数、体動といった変化するものであれば良い。
【００９５】
また、上述した実施形態では、被測定者の生体情報（呼吸）を検出する方法として、シート型の検出装置３を利用して説明したが、それ以外の方法で患者の生体情報を検出しても良い。例えば、ベッドサイドに電波式の検出装置を設け、当該電波により患者の動きを検出し、そこから呼吸数を求める装置であってもよい。
【００９６】
また、本実施形態では、バイタル日誌（レポート）が出力されれば良く、処理を検出装置３や、処理装置５が行うだけでなく、例えば呼吸数をクラウド上で管理し、サーバで処理してバイタル日誌を表示するサービスとしても実現可能である。
【００９７】
この場合、出力部５００としてはカラープリンタ等で直接出力されても良いし、スマートフォンの画面等に表示されることとしても良い。
【００９８】
また、上述した実施形態について、検出装置３と処理装置５は別装置の構成としても良いし、同一装置であっても良い。また、処理装置５は、呼吸数を取得するタイミングとしてはリアルタイムで取得しても良いし、一括で取得しても良い。例えば、バイタル日誌を取得する段階で、検出装置３で取得しても良いし、定時毎に取得しても良い。
【００９９】
また、処理装置５は、ネットワークに接続されたサーバにおいて実現してもよい。例えば、検出装置３から検出された生体情報をネットワーク（例えば、無線ＬＡＮや、ＬＴＥ回線）を通じてサーバに送信する。サーバにおいて、本実施形態の処理を実行し、バイタル日誌を作成する。利用者は、サーバにより作成されたバイタル日誌を、例えば端末装置のブラウザで表示させるといったことが可能となる。
【符号の説明】
【０１００】
１  睡眠評価システム
３  検出装置
５  処理装置
１０  ベッド
２０  マットレス
１００  制御部
２００  呼吸検出部
３００  記憶部
３０２  呼吸数テーブル
３０４  カラーバーテーブル
４００  入力部
５００  出力部
【図１】
0006698304.tif 000002
【図２】
0006698304.tif 000003
【図３】
0006698304.tif 000004
【図４】
0006698304.tif 000005
【図５】
0006698304.tif 000006
【図６】
0006698304.tif 000007
【図７】
0006698304.tif 000008
【図８】
0006698304.tif 000009
【図９】
0006698304.tif 000010
【図１０】
0006698304.tif 000011
【図１１】
0006698304.tif 000012
【図１２】
0006698304.tif 000013
【図１３】
0006698304.tif 000014
【図１４】
0006698304.tif 000015